(57)【要約】【課題】ビデオメモリからの表示データの読み出し回数を減らし、波形表示のための処理時間を短くすることを可能とする波形データ表示装置を実現する。【解決手段】Ｘ軸方向に時系列的に並ぶ複数ピクセルよりなる１ラインの表示データを、Ｙ軸方向に複数ライン分シフトして記憶するアドレス構成のビデオメモリに、波形データメモリから読み出した表示データを前記アドレスに書き込む表示データ生成手段を有する波形データ表示装置において、  前記表示データ生成手段は、前記波形データメモリから読み出した表示データを、前記ビデオメモリのＸ軸方向の１ピクセル毎にＹ軸方向の１ラインに順次書き込む。【選択図】図１
2011102755.tif 000002
【特許請求の範囲】
【請求項１】
Ｘ軸方向に時系列的に並ぶ複数ピクセルよりなる１ラインの表示データを、Ｙ軸方向に複数ライン分シフトして記憶するアドレス構成のビデオメモリに、波形データメモリから読み出した表示データを前記アドレスに書き込む表示データ生成手段を有する波形データ表示装置において、
前記表示データ生成手段は、前記波形データメモリから読み出した表示データを、前記ビデオメモリのＸ軸方向の１ピクセル毎にＹ軸方向の１ラインに順次書き込むことを特徴とする波形データ表示装置。
【請求項２】
前記ビデオメモリは、前記表示データ生成手段によりＹ軸方向１ライン分の表示データが書き込まれた都度、Ｙ軸方向データが読み出されることを特徴とする請求項１に記載の波形データ表示装置。
【請求項３】
前記波形データメモリ、前記表示データ生成手段、前記ビデオメモリは、縦走査式ＸＹ座標発生手段の座標信号に基づいて同期駆動されることを特徴とする請求項１または２に記載の波形データ表示装置。
【発明の詳細な説明】
【技術分野】
【０００１】
本発明は、Ｘ軸方向に時系列的に並ぶ複数ピクセルよりなる１ラインの表示データを、Ｙ軸方向に複数ライン分シフトして記憶するアドレス構成のビデオメモリに、波形データメモリから読み出した表示データを前記アドレスに書き込む表示データ生成手段を有する波形データ表示装置に関するものである。
【背景技術】
【０００２】
図４は、従来の波形データ表示装置の構成例を示す機能ブロック図である。データ収集処理装置１０は、表示すべき波形信号Ｓを収集し、時系列的にディジタル変換した波形データＤを生成する。
【０００３】
表示制御装置２０は、データ収集処理装置１０から波形データＤを取り込み、表示データを生成してビデオメモリに書き込む。波形表示装置３０は、表示制御装置２０のビデオメモリより表示データを取得し、ディスプレイに波形信号Ｓを表示する。
【０００４】
表示制御装置２０において、波形データメモリ２１は、データ収集処理装置１０から与えられる波形データＤを時系列的（Ｘ軸方向）に取り込んで、その振幅値（Ｙ軸方向）を格納する。
【０００５】
表示データ生成手段２２は、波形データメモリ２１にアクセスして格納された波形データを読み出し、振幅値とＹ座標から表示データを生成し、ビデオメモリ２３の所定のアドレスに書き込む。
【０００６】
横走査式ＸＹ座標発生手段２４は、波形データメモリ２１に横（Ｘ軸）方向に走査する座標Ｘを、表示データ生成手段２２に縦（Ｙ軸）方向に走査する座標Ｙを、ビデオメモリ２３にＸ，Ｙ座標を夫々与える。
【０００７】
図５は、ビデオメモリと波形表示装置の関係を説明するメモリマップ図である。波形表示装置３０の走査線は、図５（Ｃ）に示すように、左上を始点に右横へ移動し、右端に達すると一段下がり左端へ移動し、右下が終点となる仕様である。
【０００８】
これに合わせてビデオメモリ２３は、図５（Ａ）に示すようにアドレス０番地を始点に、１番地以降に右隣の表示データを格納するように表示データ生成手段２２よりデータが書き込まれる。
【０００９】
ビデオメモリ２３から波形表示装置３０へのデータの読み出しは、図５（Ｂ）に示すように、書き込み手順と同様にアドレス０番地を始点に、１番地以降に右隣の表示データを読み出す。これによって、ビデオメモリ２３のアドレス順序と、波形表示装置３０の走査線の移動方向が同じになり、これらの接続は最適となる。
【００１０】
図６は、ビデオメモリへの表示データの書き込み処理の手順を示すフローチャートである。ステップＳ１で処理がスタートする（Ｘ＝０，Ｙ＝０）と、ステップＳ２で波形データメモリ２１より波形データを読み出し、ステップＳ３で表示データをビデオメモリ２３に書き込む。
【００１１】
ステップＳ４でＸ方向座標がチェックされる。Ｘ＝３に達していなければ、ステップＳ５でＸ＋１→ＸとしてステップＳ２に戻る。ステップＳ４でＸ＝３であれば、ステップＳ６でＹ方向座標がチェックされる。Ｙ＝３に達していなければ、ステップＳ７でＹ＋１→ＹとしてステップＳ２に戻る。ステップＳ６でＹ＝３であれば、ステップＳ８で処理を終了する。
【００１２】
このように、表示データ生成手段２２は、波形データメモリ２１から波形データを読み出し、表示データを生成してビデオメモリ２３に書き込み、横（Ｘ軸方向）に移動して行き、右端に達したら一つ下（Ｙ軸方向）の左端へ移動し、以上を繰り返す。
【００１３】
表示データのビデオメモリへの書き込み回数と、このビデオメモリからの読み出し回数は、((書き込み＋読み出し)＊４)＊４＝（書き込み１６回＋読み出し１６回）＝３２回である。
【先行技術文献】
【特許文献】
【００１４】
【特許文献１】特開２００４−２７１７７８号公報
【発明の概要】
【発明が解決しようとする課題】
【００１５】
ビデオメモリのアドレス構成に従った、従来のビデオメモリへの書き込みと読み出しの手法では、表示データの繰り返し読み出し回数が多く、波形表示のための処理時間が長いという問題がある。
【００１６】
本発明の目的は、ビデオメモリからの表示データの読み出し回数を減らし、波形表示のための処理時間を短くすることを可能とする波形データ表示装置を実現することにある。
【課題を解決するための手段】
【００１７】
このような課題を達成するために、本発明は次の通りの構成になっている。
（１）Ｘ軸方向に時系列的に並ぶ複数ピクセルよりなる１ラインの表示データを、Ｙ軸方向に複数ライン分シフトして記憶するアドレス構成のビデオメモリに、波形データメモリから読み出した表示データを前記アドレスに書き込む表示データ生成手段を有する波形データ表示装置において、
前記表示データ生成手段は、前記波形データメモリから読み出した表示データを、前記ビデオメモリのＸ軸方向の１ピクセル毎にＹ軸方向の１ラインに順次書き込むことを特徴とする波形データ表示装置。
【００１８】
（２）前記ビデオメモリは、前記表示データ生成手段によりＹ軸方向１ライン分の表示データが書き込まれた都度、Ｙ軸方向データが読み出されることを特徴とする（１）に記載の波形データ表示装置。
【００１９】
（３）前記波形データメモリ、前記表示データ生成手段、前記ビデオメモリは、縦走査式ＸＹ座標発生手段の座標信号に基づいて同期駆動されることを特徴とする（１）または（２）に記載の波形データ表示装置。
【発明の効果】
【００２０】
本発明によれば、ビデオメモリからの表示データの読み出し回数を減らし、波形表示のための処理時間を短縮することができる。
【図面の簡単な説明】
【００２１】
【図１】本発明を適用した波形データ表示装置の一実施例を示す機能ブロック図である。
【図２】図１の、ビデオメモリと波形表示装置の関係を説明するメモリマップ図である。
【図３】図１の、ビデオメモリへの表示データの書き込み処理の手順を示すフローチャートである。
【図４】従来の波形データ表示装置の構成例を示す機能ブロック図である。
【図５】図４の、ビデオメモリと波形表示装置の関係を説明するメモリマップ図である。
【図６】図４の、ビデオメモリへの表示データの書き込み処理の手順を示すフローチャートである。
【発明を実施するための形態】
【００２２】
以下本発明を、図面を用いて詳細に説明する。図１は、本発明を適用した波形データ表示装置の一実施例を示す機能ブロック図である。図４で説明した従来構成と同一要素には同一符号を付して説明を省略する。
【００２３】
図４の従来構成に比較した本発明の構成上の特徴部は、縦走査方式ＸＹ座標発生手段１００及びビデオメモリ２３に縦方向に表示データを書き込む波形データ生成手段２００を設けた点にある。
【００２４】
表示データ生成手段２００は、波形データメモリ２１にアクセスして格納された波形データを読み出し、振幅値とＹ座標から表示データを生成し、ビデオメモリ２３の所定のアドレスに書き込む。このとき、表示データ生成手段２００は、波形データメモリ２１から読み出した表示データを、ビデオメモリ２１のＸ軸方向の１ピクセル毎にＹ軸方向の１ラインに順次書き込む
【００２５】
縦走査式ＸＹ座標発生手段１００は、波形データメモリ２１に横（Ｘ軸）方向に走査する座標Ｘを、表示データ生成手段２２に縦（Ｙ軸）方向に走査する座標Ｙを、ビデオメモリ２３にＸ，Ｙ座標を夫々与える。
【００２６】
図２は、ビデオメモリ２３と波形表示装置３０の関係を説明するメモリマップ図である。波形データメモリのＸ軸方向の１ピクセル毎にＹ軸方向の複数の波形データを順次読み出して前記ビデオメモリに書き込み、縦方向に移動していく。下端に達したら右隣の最上段へ移動し、以上を繰り返す。
【００２７】
波形データメモリ２１より波形データを順次読み出して生成した表示データをビデオメモリ２３のアドレスに書き込む手法は従来手法と同一であり、ビデオメモリ２３への書き込み回数はアドレス数と同数の１６回である。
【００２８】
しかしながら、ビデオメモリ２３からの読み出し回数は、Ｙ軸方向１ライン分の４個の表示データがビデオメモリ２３に書き込まれた都度、Ｙ軸方向１ライン分の表示データを１回読み出す操作により、４回の読み出しで全表示データの読み出しを完了することができる。
【００２９】
即ち、ビデオメモリ２３への書き込み回数と読み出回数は、(書き込み＊４＋読み出し)＊４＝（書き込み１６回＋読み出し４回）＝２０回となり、従来手法より読み出し回数を減らし、波形データ表示までの処理時間を短縮することができる。
【００３０】
図３は、ビデオメモリへの表示データの書き込み処理の手順を示すフローチャートである。ステップＳ１で処理がスタートする（Ｘ＝０，Ｙ＝０）と、ステップＳ２で波形データメモリ２１より波形データを読み出し、ステップＳ３で表示データをビデオメモリ２３に書き込む。
【００３１】
ステップＳ４でＹ方向座標がチェックされる。Ｙ＝３に達していなければ、ステップＳ５でＹ＋１→ＹとしてステップＳ３に戻る。ステップＳ４でＹ＝３であれば、ステップＳ６でＸ方向座標がチェックされる。Ｘ＝３に達していなければ、ステップＳ７でＸ＋１→ＸとしてステップＳ２に戻る。ステップＳ６でＸ＝３であれば、ステップＳ８で処理を終了する。
【符号の説明】
【００３２】
１０  データ収集処理装置
２０  表示制御装置
２１  波形データメモリ
２３  ビデオメモリ
３０  表示装置
１００  縦走査式ＸＸ座標発生手段
２００  表示データ生成手段
【図１】
2011102755.tif 000003
【図２】
2011102755.tif 000004
【図３】
2011102755.tif 000005
【図４】
2011102755.tif 000006
【図５】
2011102755.tif 000007
【図６】
2011102755.tif 000008